(57)【要約】【課題】  本発明は、袋に入れた高含水土に孔明管を介して振動を与えることによって土粒子と水との分離を促進し、速やかに排水し脱水せしめる高含水土の脱水方法を提供するものである。【解決手段】  脱水用袋１に略半分程度高含水スライムが溜まったら、孔明管３が脱水用袋１を斜め左下がりに貫通するように突き刺す。孔明管３の片側には振動発生装置９を取り付けてあるので、前記孔明管３を振動させて孔明管３周辺の高含水スライムに振動を与えて水分を分離・排水させる。前記孔明管３により分離された濁水は、排水受け槽４に貯めて排水ポンプ７により循環用タンク（図示せず）に排出され、再利用のため濁水をボーリング掘削装置に戻す。脱水用袋１が容量一杯になった場合は、脱水用袋１を脱水用金網カゴ２ごと交換し、一杯になったものはそのまま放置し脱水を継続させる。【選択図】  図１
2006007141.tif 000002
【特許請求の範囲】
【請求項１】
高含水土を袋に入れ、前記高含水土を入れた袋に周囲に小孔を有する孔明管を貫通せしめ、前記貫通せしめた孔明管を振動させて脱水させることを特徴とする高含水土の脱水方法。
【請求項２】
非透水性の袋に前記孔明管を貫通せしめて排水を促進させることを特徴とする請求項１記載の高含水土の脱水方法。
【請求項３】
前記袋は、脱水用金網カゴに入れて開口保持することを特徴とする請求項１又は２記載の高含水土の脱水方法。
【請求項４】
前記孔明管は、周囲に多数の小孔を有する中空パイプであることを特徴とする請求項１記載の高含水土の脱水方法。
【請求項５】
前記孔明管は、先端部に振動発生装置を固定したことを特徴とする請求項１、２又は４記載の高含水土の脱水方法。
【発明の詳細な説明】
【技術分野】
【０００１】
本発明は、高含水土を入れた袋を、振動する孔明管を用いて脱水する高含水土の脱水方法に関するものである。
【背景技術】
【０００２】
近年、環境問題が深刻化する中で、建設工事現場などで発生する高含水残土の処理問題がクローズアップされてきている。
従来、高含水土の脱水処理方法としては、作業現場に脱水プラントを据え付け、脱水装置で機械的に、あるいは固化剤を添加して化学的に脱水され、埋め立て、造成地などの土砂として使用されている。
高含水土をより簡便に脱水する方法としては、水分のみを通過させる脱水用シートを袋状に整形して製作される処理用袋に高含水土を投入した後、袋の口を縛り、高含水土が入った当該袋を静置するようにしている（特許文献１を参照）。
この脱水用袋に高含水土を投入するような脱水方法では、重力を利用して脱水を行うため、脱水に時間がかかり、かつ、高含水土を入れる袋が透水性を有していなければならず、袋の準備が面倒である。
また、振動を利用して袋詰めした高含水土を脱水する方法としては、脱水用袋に高含水土を投入し、袋保持装置全体を振動させて脱水するものである（特許文献２を参照）。
この機械振動を加えて脱水を促進する方法では、装置全体が大きくなり、装置の可搬性で問題があった。
本発明は、上記の欠点を除くようにしたものである。
【０００３】
【特許文献１】特開平０２−１５７０９９
【特許文献２】特開平０８−５７４９９
【発明の開示】
【発明が解決しようとする課題】
【０００４】
本発明は、袋に入れた高含水土に孔明管を介して振動を与えることによって土粒子と水との分離を促進し、速やかに排水し脱水せしめる高含水土の脱水方法を提供するものである。
【課題を解決するための手段】
【０００５】
高含水土を袋に入れ、前記高含水土を入れた袋に周囲に小孔を有する孔明管を貫通せしめ、前記貫通せしめた孔明管を振動させて脱水させるものである。
非透水性の袋に前記孔明管を貫通せしめて排水を促進させるものである。
前記袋は、脱水用金網カゴに入れて開口保持するものである。
【０００６】
前記孔明管は、周囲に多数の小孔を有する中空パイプであるものである。
前記孔明管は、先端部に振動発生装置を固定したものである。
【発明の効果】
【０００７】
本発明の高含水土の脱水方法は、透水性の袋を使用する必要がなく、かつ、高含水土は孔明管および振動発生装置の働きで脱水が促進されるので、短時間で脱水を行うことができる。
本発明の高含水土の脱水方法は、固化剤を添加して脱水されたものでないので、脱水された高含水土は廃棄処理が容易となり、建設用材料として再利用することも可能である。
【発明を実施するための最良の形態】
【０００８】
以下、本発明の高含水土の脱水方法の一実施例について、添付図面を参照しつつ詳細に説明するが、本発明はかかる実施の態様に限定されるものではない。
本発明の一実施形態をなす、ボーリング掘削時にボーリング孔内より排出された掘削屑（以下、「高含水スライム」という。）の脱水装置を図１の断面図、図２の平面図に示す。
天然繊維又は人工繊維からなる角筒状の脱水用袋１と、該脱水用袋１の開口周縁を開口状に支持する有底箱状の脱水用金網カゴ２とを設け、さらに中空パイプの円周囲に多数の小孔を穿設した孔明管３を前記脱水用袋１及び前記脱水用金網カゴ２に下方傾斜状に貫通するように配置する。
前記孔明管３の先端部、例えば図１に示す傾斜上部には、前記孔明管３を振動させる振動発生装置９を固定する。
また、前記孔明管３は、先尖端形状にすれば前記脱水用袋１への突き刺しが容易になる。
なお、前記脱水用金網カゴ２の網目の大きさは、前記孔明管３を通過させることができるメッシュとし、前記孔明管３が振動した際には、前記孔明管３が前記脱水用金網カゴ２の網目に触れない大きさであれば良い。
また、前記脱水用金網カゴ２は、金属製カゴとしたが剛性上問題がなければ繊維強化プラスチック製カゴであっても良い。
【０００９】
さらに、前記脱水用金網カゴ２の底部下方には、前記脱水用金網カゴ２より広くかつ前記孔明管３の先端を囲む大きさでトレー状の排水受け槽４を設け、該排水受け槽４の隅角部には溜水を排出する排水孔５を設け、かつ前記排水受け槽４の中央部には前記脱水用金網カゴ２を支持するスノコ状のカゴ用台６を設けてある。
また、前記排水受け槽４には、再利用のため前記排水受け槽４に溜まった濁水をボーリング掘削装置に戻す排水ポンプ７を設ける。
なお、濁水とは、水と微細粒子とが混濁した状態で存在し、液体としての性質を有するものである。
【００１０】
次に、本発明の高含水土の脱水方法について、添付図面を参照しつつ詳細に説明する。
ボーリング掘削時にボーリング孔内より排出された高含水スライムは、図示しない振動スクリーンによって塵屑や小石等が取り除かれ、スライム排出口８から下方に排出される。
前記スライム排出口８の下方には、図３に示すように、上から脱水用袋１、脱水用金網カゴ２、排水受け槽４を順にそれぞれ嵌合して、図４に示すようにセットし組み合わせる。
なお、脱水用袋１の上部開口部を折り返し、針金等で脱水用金網カゴ２に結びつけて開口状態を保つように固定すれば良い。
また、前記脱水用袋１は、非透水性の袋を使用するが、透水性（又は半透水性）の袋を利用することもできる。
図４に示すようにセットされた脱水用袋１及び脱水用金網カゴ２には、ボーリング掘削時にボーリング孔内より排出された高含水スライムがスライム排出口８より前記脱水用袋１に投入される。
【００１１】
図１、図２に示すように、前記脱水用袋１に略半分程度高含水スライムが溜まったら、下方の孔明管３（２本示す孔明管３の下方）のように、前記孔明管３が脱水用袋１を斜め左下がりに貫通するように突き刺す。
前記孔明管３の先端位置は高含水スライムの脱水用袋１へのたまり具合によって脱水に適切な位置になるように傾斜設置する。
このとき、濁水が孔明管３の小孔から中空内部を通り脱水用袋１の外へ排出され、脱水処理される。
すなわち、前記孔明管３の小孔より大きい粒子は通過することなく、濁水のみが小孔から中空内部を通り外へ排出される。
孔明管３の片側、すなわち高くなっている方には振動発生装置９を取り付けてあるので、前記孔明管３を振動させて孔明管３周辺の高含水スライムに振動を与えて水分を分離・排水させる。
高含水スライム中の粒子は、前記孔明管３の振動により粒子の密度が高められ、すなわち粒子と液体との分離が行われ、粒子は脱水用袋１の下部に沈降させられる。
【００１２】
図１、図２に示すように、さらに前記脱水用袋１にある程度高含水スライムが溜まったら、上方の孔明管３（２本示す孔明管３の上方）のように、前記孔明管３が脱水用袋１を斜め右下がりに貫通するように突き刺す。
前記孔明管３の先端位置は高含水スライムの脱水用袋１へのたまり具合によって脱水に適切な位置になるように傾斜設置する。
なお、前記孔明管３は、あらかじめ適宜本数を前記脱水用袋１及び前記脱水用金網カゴ２に下方傾斜状に交叉状（図２上では左右方向と上下方向）又は垂直方向に貫通するように配置することもできるし、前記孔明管３は高含水スライムの含水状況により数を増減することができる。
前記孔明管３により分離された濁水は、排水受け槽４に貯めて排水ポンプ７により循環用タンク（図示せず）に排出され、再利用のため濁水をボーリング掘削装置に戻す。
脱水用袋１が容量一杯になった場合は、脱水用袋１を脱水用金網カゴ２ごと交換し、一杯になったものはそのまま放置し脱水を継続させる。
また、排水受け槽４が濁水で一杯になったときには、排水孔５から貯留タンク（図示せず）等へ排出する。
【図面の簡単な説明】
【００１３】
【図１】本発明に使用される脱水装置を示す断面図である。
【図２】本発明に使用される脱水装置を示す平面図である。
【図３】本発明に使用される脱水装置のセット前の分解説明図である。
【図４】本発明に使用される脱水装置のセット後の説明図である。
【符号の説明】
【００１４】
１  脱水用袋
２  脱水用金網カゴ
３  孔明管
４  排水受け槽
５  排水孔
６  カゴ用台
７  排水ポンプ
８  スライム排出口
９  振動発生装置
【図１】
2006007141.tif 000003
【図２】
2006007141.tif 000004
【図３】
2006007141.tif 000005
【図４】
2006007141.tif 000006